(57)【要約】【課題】アベレージゴルファーと呼ばれる一般のゴルファーはボールをＴショット等で打つときはボールを見て打っているが意外と漫然とボールを見て打っているものである、しかるにゴルフクラブフェイスにジャストミートせずに少しずれて当たりやすいのが常であった。その結果スライスしたりフックしたりしてミスショットに繋がっていたのである。本発明は出来るだけミスショット防ぐことを求めたボールを提供するものである。【解決手段】ボールの表面に矢印を設け、その矢印の先端に丸印又は異形状の目印を設けることを特徴とするゴルフボールを提供する。【選択図】図１
2019150542.tif 000002
【特許請求の範囲】
【請求項１】
ボールの表面に、マークとして、矢印と、その矢印の先端に丸印又は異形状の目印を設ける事を特徴とするゴルフボール。
【請求項２】
前記矢印は、平行方向に、経線方向に、または前記目印方向に収束するように複数本設けることを特徴とする請求項１のゴルフボール。
【発明の詳細な説明】
【技術分野】
【０００１】本発明はゴルフボールに関する。
【技術背景】
【０００２】従来、アベレージゴルファーが、ゴルフボールを打つときには、ボールを見て打っているのだが、只漫然と見て打っているのが実情であって、ボールに対する集中が、今一つ出来なかった。
そのため、特許文献１には、ゴルフボール周面にラインを設けたことが、記載されている。
【先行技術文献】
【特許文献】
【０００３】
【特許文献１】実開昭５６−０９５２６２号公報
【発明の概要】
【発明が解決しようとする課題】
【０００４】ゴルフボール周面に、単に方向ラインを設ける従来の方法では、
ゴルフボールを打つときには、１メートル以上の先に、Ｔアップしているボールを長いクラブで打つので、ジャストミートしにくかった、また、打つときの方向性もはっきりと、把握しにくいという点で問題があった。【０００５】本発明は、上記の課題を解決する為のもので、
ゴルフボールを打つときには１メートル以上の先にＴアップしているボールを長いクラブで打つのでジャストミートしやすくし、打つときの方向性もはっきりと把握するゴルフボールを提供するものである。
【課題を解決するための手段】
【０００６】本発明は、上記の課題を解決する為に、下記のゴルフボールを提供するものである。
（１）ボールの表面に、マークとして、矢印とその矢印の先端に丸印又は異形状の目印を設けることを特徴とするゴルフボール。
（２）前記矢印は、平行方向に、経線方向に、または前記目印方向に収束するように複数本設けることを特徴とする（１）のゴルフボール。
【発明の効果】
【０００７】ゴルフボールの表面に、マークとして矢印を設け、その矢印の先端に、丸印又は異形状の目印を設けることで、矢印方向が際立ち、ゴルフのスタートで、Ｔアップしたゴルフボールをジャストミートして、方向を真っ直ぐに打つことが出来る。
【図面の簡単な説明】
【０００８】
【図１】本発明の形態のマーク付きゴルフボールを示している。
【図２】本発明の形態の別のマーク付きゴルフボールを示している。
【図３】本発明の形態の別のマーク付きゴルフボールを示している。
【図４】本発明の形態の別のマーク付きゴルフボールを示している。
【発明を実施するための形態】
【０００９】本発明の矢印は、ゴルフボールの表面に設けるマークで、一方に矢が付いた矢印形状のマークを指す。その形状は矢印とわかるような形状となる。
大きさは、長さがゴルフボールの半周からその半分程度で、太さは、０．５ｍｍから３ｍｍ程度で、色はゴルフボールの表面色に対して補色または黒で、表面色が白の場合は黒が好ましい。矢印部分には、蛍光材が含有されていると、暗がりで判別しやすくなる。
矢印は、平行方向に又は経線方向に１本または複数本設ける。
矢印は、２ｍｍから３ｍｍ程度の太い矢印と、０．５ｍｍから１．５ｍｍ程度の細い矢印とを混成して設けてもよい。特に太い矢印を中央に、周辺を細い矢印にすると、太い矢印とその先の目印に集中しやすい点で好ましい。
平行方向に複数本設けると、ゴルフボールの矢印、相対的一定方向に集中できる点で好ましい。
経線方向に複数本設けると、ゴルフボールの一点に集中しやすい点で好ましい。
【００１０】本発明の目印は、矢印の先端に丸印又は異形状で設けるマークである。
大きさは、直径で言うと５ｍｍから１５ｍｍ程度で、１０ｍｍ位が好ましい。色は黒が好ましい。
異形状としては、多角形、星形など目立つ形が使用できる。正多角形が好ましい。
目印部分には、蛍光材が含有されていると、暗がりで判別しやすくなる。
【００１１】以下、本発明の実施の形態を図面に基づいて説明する。
図１は、本発明のマーク付きゴルフボールを示している。図１（ａ）は上面図、図１（ｂ）は側面図を示している。
【００１２】図１において、目印１は、丸印で示している。矢印２は、その目印１に向かって経線方向に設けている。
矢印２の途中の空間に、文字や模様などを入れるとボールの識別する点で好ましい。
また、上面ポイント３を、ゴルフボールの上面に２ヶ所位設けると、ボールをセットするときのゴルフボールの上面の目安にすることができる。
【００１３】図２は、本発明のマーク付きゴルフボールを示している。図２（ａ）は上面図、図２（ｂ）は側面図を示している。
【００１４】図２において、目印１は、丸印で示している。太い矢印２ｂは、その目印１に向かって経線方向に設けている。また、細い矢印２ａは、太い矢印２ｂの周辺の経線方向に、目印１に向かって複数本設けている。
太い矢印２ｂの周辺に複数の細い矢印２ａを設けることにより、太い矢印２ｂが強調され、全体的によりゴルフボールの方向性が強調できる。
太い矢印２ｂや細い矢印２ａの途中の空間に、文字や模様などを入れるとボールの識別する点で好ましい。
また、上面ポイント３を、ゴルフボールの上面に２ヶ所位設けると、ボールをセットするときのゴルフボールの上面の目安にすることができる。
【００１５】図２は、本発明の別のマーク付きゴルフボールを示している。図２（ａ）は上面図、図２（ｂ）は側面図を示している。
図２において、矢印２は、目印１に向かって収束するように複数本設けている。
複数の矢印の先端を収束させることにより、矢印２の収束する方向が強調され、全体的によりゴルフボールの方向性強調できる。
【００１６】図３は、本発明の別のマーク付きゴルフボールを示している。図３（ａ）は上面図、図３（ｂ）は側面図を示している。
図３において、矢印２は、目印１に向かって平行に複数本設けている。
複数の矢印を平行に設けることにより、矢印２の方向が強調され、全体的によりゴルフボールの移動方向性が強調できる。
【００１７】ゴルフのスタートでＴアップしたゴルフボールをジャストミートして方向を真っ直ぐに打つことはなかなか難しいものである。増してやスタート時では緊張して体が力んでナイスショットできないものである。
その原因はボールを漫然と見ていて完全に集中出来ていないものなのである。
ボールをしっかりと見ているつもりがボヤーっと見ているのが現実なのである。
本発明は人間の習性、心理を利用してボールの１点に集中して打つことが出来るように考えられたボールのマークである。
ところで人間が線を見る時にただ一本の線を見る時は線の全体を漫然と見ているが矢印があると必然的に矢印の方向を見ます。これは人間の習性、心理なのである。
この習性、心理を利用してゴルフボールに矢印を設けて一点に集中させるのである。
さてティショットでボールを打つときには目印１を地面と平行にＴの上に置いて矢印２を上面にセットして矢印２の直線方向は打たれるべき方向に置く、これにてボールを見て打つのであるが、ボールを直視するとボールに矢印があるので人間の習性、心理で必ず矢印の終着点の方に神経が集中するのである。そして集中した所に終着点の丸印又は異形状の目印があって凝視して打ちやすくなるのである。
ゴルフグリーン上においてパターで打つときも同じようにセットして打つことが出来る。
矢印２は目標のカップの方向にセットして目印１はパターのヒット面に合わせると容易に打ちやすくなるのである。
尚ゴルフボールに線や模様など書いてもルール違反にはならないので問題はないのである。
【実施例】〔データーによる説明〕【００１８】データーを取るに当たって、ドライバーで合計６０回ゴルフボールを打ったデーターを取った。矢印だけでボールを打った時と、矢印＋目印があるボールを打ったときの公平なデーターを取る為に、おなじ時間と同じ場所で交互に打つようにした。飛距離は、ゴルフボール距離測定器ＧＯＬＦ  ＳＩＮＧ  ＴＲＡＮＥＲ  ＧＳＴ−３Ａを使って測定し、ミート率もこの測定器で評価数値化した。【００１９】表１は、図１に示すマーク付きゴルフボールを使用した場合の実験データーを、表２は、図２に示すマーク付きゴルフボールを使用した場合の実験データーを、表３は、図３に示すマーク付きゴルフボールを使用した場合の実験データーを、
表４は、図４に示すマーク付きゴルフボールを使用した場合の実験データーを、
それぞれ図１の太い矢印だけの場合と比較した。
【表１】
2019150542.tif 000003
【表２】
2019150542.tif 000004
【表３】
2019150542.tif 000005
【表４】
2019150542.tif 000006
〔データーから解った結果］【００２０】本発明のマークが付いたボールを打った時のミート率と飛距離は、目印が付いてないボールより明らかに良い事がはっきりと解る、本発明のマーク付きボールを打つ方がすべて結果が良いのである。マークを変えて合計６０回打ったデーターを出してみたがやはり本発明のマーク付きボールを打った方が、明らかに良い結果が出ている。
因みに、ゴルフのスコアーは、たった１打の差で勝敗が決ってしまう様なシビアな球技なので、ほんのわずかな飛距離の差でも、優位なプレイを必要としているのである。
【符号の説明】
【００２１】  １…目印、２…矢印、２ａ…細い矢印、２ｂ…太い矢印、３…上面ポイント
【図１】
2019150542.tif 000007
【図２】
2019150542.tif 000008
【図３】
2019150542.tif 000009
【図４】
2019150542.tif 000010